(57)【特許請求の範囲】
【請求項１】
ハウジング内に被測定者の上腕を挿入するための開口部を備え、当該開口部の内周面にカフ部が設けられた血圧計本体部と、
リモコンユニットと、を備え、
前記リモコンユニットは、前記血圧計本体部の保持部に対して着脱可能に設けられ、操作部と、測定結果を表示する表示部とを有し、
前記血圧計本体部は、当該血圧計本体部を操作する操作部を有し、
前記リモコンユニットが前記保持部に収納されていない状態では、前記リモコンユニットは前記血圧計本体部に対して無線で通信し、
前記リモコンユニットの表示部は、測定日時ごとに蓄積された血圧値を表示することを特徴とする腕挿入型血圧計。
【請求項２】
前記リモコンユニットは、被測定者ごとの識別情報、血圧測定日時情報、及び当該測定日時ごとの血圧値トレンド情報を記憶する記憶部を備え、
前記血圧計本体部との通信により前記情報を取得し、前記表示部に前記情報を表示することを特徴とする請求項１に記載の腕挿入型血圧計。
【請求項３】
前記表示部は、測定中の被測定者により視認可能な姿勢で前記血圧計本体部に収納されることを特徴とする請求項１又は２に記載の腕挿入型血圧計。
【請求項４】
前記血圧計本体部を保持する保持ユニットを更に備え、前記保持ユニットは前記血圧計本体部の姿勢を調整する機能又は正しい部位での測定を促す機能を有することを特徴とする請求項１乃至３のいずれか１項に記載の腕挿入型血圧計。
【発明の詳細な説明】
【技術分野】
【０００１】
本発明は、上腕を挿入する腕帯が血圧計本体部に内蔵されて、被測定者の上腕に腕帯を巻き付ける必要がなく、左右いずれの上腕でも血圧測定が可能な腕挿入型血圧計に関する。
【背景技術】
【０００２】
従来、病院などに据え付けられた腕挿入型血圧計は、被測定者の一方（例えば、利き腕ではない方）の上腕を腕帯で囲まれた開口部に挿入し、他方の手で測定開始スイッチなどの操作部を操作して血圧を測定する。しかし、上記他方の腕が不自由であると、操作が極めて困難となる。【０００３】
また、腕帯を巻き付けるタイプの血圧計において、当該腕帯と血圧計本体部とを分離独立させたものがある（例えば、特許文献１，２参照）。
【特許文献１】特開平５−５６９３８号公報
【特許文献２】特開平５−１３７６９７号公報
【発明の開示】
【発明が解決しようとする課題】
【０００４】
しかし、上記特許文献１，２においても、片腕が不自由な場合には腕帯を腕に挿入したり、巻き付ける作業が困難となる。【０００５】
本発明は、上記課題に鑑みてなされ、その目的は、リモコンユニットを血圧計本体部から取り外してワイヤレスで操作でき、測定時の操作性や視認性を向上できる腕挿入型血圧計を提供することである。【０００６】
また、表示付きのメモリとして持ち運びもでき、かかり付け医などの医療サイトとの連携を手助けすることができる腕挿入型血圧計を提供することである。
【課題を解決するための手段】
【０００７】
上述の課題を解決し、目的を達成するために、本発明の腕挿入型血圧計は、ハウジング内に被測定者の上腕を挿入するための開口部を備え、当該開口部の内周面にカフ部が設けられた血圧計本体部と、リモコンユニットと、を備え、前記リモコンユニットは、前記血圧計本体部の保持部に対して着脱可能に設けられ、操作部と、測定結果を表示する表示部とを有し、前記血圧計本体部は、当該血圧計本体部を操作する操作部を有し、前記リモコンユニットが前記保持部に収納されていない状態では、前記リモコンユニットは前記血圧計本体部に対して無線で通信し、前記リモコンユニットの表示部は、測定日時ごとに蓄積された血圧値を表示する。
【０００８】
また、好ましくは、前記リモコンユニットは、被測定者ごとの識別情報、血圧測定日時情報、及び当該測定日時ごとの血圧値トレンド情報を記憶する記憶部を備え、前記血圧計本体部との通信により前記情報を取得し、前記表示部に前記情報を表示する。
【００１０】
また、好ましくは、前記表示部は、測定中の被測定者により視認可能な姿勢で前記血圧計本体部に収納される。【００１１】
また、好ましくは、前記血圧計本体部を保持する保持ユニットを更に備え、前記保持ユニットは前記血圧計本体部の姿勢を調整する機能又は正しい部位での測定を促す機能を有する。
【発明の効果】
【００１２】
以上説明したように、本発明によれば、リモコンユニットを血圧計本体部から取り外してワイヤレスで操作できるので、例えば、片腕が不自由なときでも、リモコンユニットをもう一方（測定する方の腕）の手で操作したり、操作できる位置に置くことで血圧測定時の操作性や視認性を向上できる。
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施の形態を示し、その記述と共に本発明の原理を説明するために用いられる。
【図１Ａ】本発明に係る第１の実施形態の腕挿入型血圧計の斜視図であり、リモコンユニットを装着した状態を示す図である。
【図１Ｂ】本発明に係る第１の実施形態の腕挿入型血圧計の斜視図であり、リモコンユニットを取り外した状態を示す図である。
【図２】本発明に係る第１の実施形態の腕挿入型血圧計の機能ブロック図である。
【図３】リモコンユニットのメモリ部に記憶された情報を例示する図である。
【図４】本発明に係る第２の実施形態の腕挿入型血圧計の斜視図であり、リモコンユニットを装着した状態を示す図である。
【図５】本発明に係る第２の実施形態の腕挿入型血圧計の機能ブロック図である。
【図６Ａ】本発明に係る第４の実施形態として保持ユニットに保持した状態の腕挿入型血圧計の斜視図であり、保持ユニットに装着していない状態を示す図である。
【図６Ｂ】本発明に係る第４の実施形態として保持ユニットに保持した状態の腕挿入型血圧計の斜視図であり、保持ユニットに装着した状態を示す図である。
【図６Ｃ】本発明に係る第４の実施形態として保持ユニットに保持した状態の腕挿入型血圧計の斜視図であり、腕挿入型血圧計と保持ユニットとを連結する部材を示す図である。
【図７】本発明に係る第３の実施形態の腕挿入型血圧計の機能ブロック図である。
【図８】本発明に係る実施形態の表示部の一例を示す図である。
【符号の説明】
【００１４】
１  腕挿入型血圧計
２  カフ部
３，１３  ハウジング
４  開口部
５，１５  保持部
６，４２  操作部
１４，４３  表示部
２０，５０  制御ユニット
２１，４１  電源
２３，４４  記憶部
２４，４５  通信部
２５，４６  コネクタ
２６，４７  マイクロコンピュータ
２７  加圧エアポンプ
２８  排気弁
２９  圧力センサ
３０  マイク部
３１  通信線
３２，４８    外部接続部
３３  フィルタ／アンプ部
３５  演算用クロック回路
３６  時計用クロック回路
３７  電波受信回路
４０  リモコンユニット
６０  保持ユニット
６１  アームレスト
６２  保持部
【発明を実施するための最良の形態】
【００１５】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。【００１６】
［第１の実施形態］
図１Ａ及び図１Ｂは、本発明に係る第１の実施形態の腕挿入型血圧計の斜視図であり、図１Ａはリモコンユニットを装着した状態、図１Ｂはリモコンユニットを取り外した状態をそれぞれ示している。図２は、本発明に係る第１の実施形態の腕挿入型血圧計の機能ブロック図である。【００１７】
図１Ａ及び図１Ｂに示すように、本実施形態の腕挿入型血圧計１は、血圧測定時に上腕を圧迫する腕帯としてのカフ部２が、血圧計本体部１０のハウジング３に内蔵された構造を有し、被測定者の上腕にカフ部２を巻き付ける必要がなく、左右いずれの上腕でも血圧測定が可能な血圧計である。【００１８】
血圧計本体部１０には、当該血圧計本体部１０を遠隔操作可能なリモコンユニット４０が当該本体部１０の保持部５に対して着脱可能に設けられ、リモコンユニット４０は当該本体部１０を操作するための操作部４２や測定結果などを表示する表示部４３を有し、片手で操作できて、被測定者のポケットなどに収納できるような携帯可能なサイズとされる。表示部４３には、最高血圧値／最低血圧値、脈拍値（脈拍数）、時刻、加圧動作、減圧（排気）動作、血圧測定動作などの表示がＬＣＤなどに表示される。また、選択スイッチで複数の被測定者（使用者）の血圧値（最高血圧値／最低血圧値）やその測定時刻などをトレンド記憶／表示することも可能で、１人の被測定者（使用者）のパーソナルユースとしても適用可能である。【００１９】
血圧計本体部１０のハウジング３には、被測定者の腕を差し込むための開口部４が設けられており、この開口部４の内周面に可撓性の布袋やゴム袋からなるカフ部２が設けられている。また、ハウジング３の上面部３ａには、リモコンユニット４０を着脱自在に収納するためのソケット状の保持部５やオン／オフスイッチなどの操作部６が設けられている。【００２０】
上記操作部６，４２としては、例えば、電源のオン／オフスイッチや血圧測定開始／停止スイッチの他、記憶データの呼出／取消スイッチ、トレンドグラフなどの表示切換スイッチ、スクロールスイッチが含まれる。【００２１】
図２に示すように、血圧計本体部１０のハウジング３内には制御ユニット２０が搭載されている。この制御ユニット２０は、電気的な構成要素として、同ユニットに電力を供給するＡＣ或いはＤＣ（電池）電源２１、制御ユニット２０の起動／停止を行うオン／オフスイッチや各種機能に関する操作を行うための操作部６、複数回分の血圧測定値やその測定時刻データなどを記憶する不揮発性メモリなどの記憶部２３、後述するリモコンユニット４０との間で赤外線や電波（例えば、Bluetooth）を用いた無線通信を可能とする通信部２４、リモコンユニット４０と通信線を介して電気的に接続可能なコネクタ（或いは接点）２５を備え、これら各要素がマイクロコンピュータ２６に接続されている。【００２２】
更に、制御ユニット２０は、機械的な構成要素として、血圧測定開始時にカフ部２に加圧エアを送る加圧エアポンプ２７、カフ部２の圧力を一定の速度で減圧する排気弁及び加圧エアの圧力を一定圧或いは急速排気により調整する排気弁２８、カフの圧力変動から血管の振動を検知する圧力センサ２９、血流音を検知するマイク部３０などを備える。なお、マイク部３０はカフ部２に内蔵されており、マイク部３０の検知信号はフィルタ／アンプ部３３でノイズ成分のフィルタリングやフィルタリング後の信号成分を増幅してマイクロコンピュータ２６に入力される。血圧測定は、オシロメトリック法やコロトコフ音法が適用可能であり、前者の方法に従う場合にはマイク部３０は不要である。【００２３】
リモコンユニット４０は、電気的な構成要素として、当該ユニット４０に電力を供給するＤＣ（電池）電源４１、制御ユニット２０の起動／停止を行うオン／オフスイッチや各種機能に関する操作を行うための操作部４２、最高／最低血圧測定値、脈拍、時刻などを表示する液晶表示器などの表示部４３、複数回分の血圧測定値やその測定時刻データなどを記憶する不揮発性メモリの記憶部４４、上記制御ユニット２０との間で赤外線や電波（例えば、Bluetooth）を用いた無線通信を可能とする通信部４５、制御ユニット２０と通信線３１を介して電気的に接続可能なコネクタ（或いは接点）４６を備え、これら各要素がマイクロコンピュータ４７に接続されている。【００２４】
上記制御ユニット２０及びリモコンユニット４０の各マイクロコンピュータ２６，４７には、ＣＰＵ、ＲＯＭ、ＲＡＭ、入出力インターフェース回路などが搭載されている。【００２５】
図１Ａのように、リモコンユニット４０が血圧計本体部１０の保持部５に収納された状態では、両ユニット２０，４０がコネクタ２５，４６により電気的に接続されているので、制御ユニット２０のマイクロコンピュータ２６は、ＲＯＭに記憶された血圧測定プログラムの手順に従って、制御ユニット２０やリモコンユニット４０の操作部６，４２からの操作信号を通信線３１を介して入力処理すると共に、センサ類２９，３０からの検知信号を入力して加圧エアポンプ２７や排気弁２８の駆動信号を出力する一方、圧力センサ２９やマイク部３０の検知信号から血圧や脈拍などの測定値を決定し、これらの値を制御ユニット２０の記憶部２３に保存すると共に、通信線３１を介してリモコンユニット４０の記憶部４４に出力すると共に、表示部４３に表示信号を出力する。【００２６】
また、図１Ａの収納状態では、制御ユニット２０は、通信線３１を介してリモコンユニット４０の電源４１に電力を供給して充電する。なお、電源が充電式電池でない電池の場合、充電する必要はない。【００２７】
図１Ｂのように、リモコンユニット４０が血圧計本体部１０の保持部５に収納されていない状態では、両ユニット２０，４０のコネクタ２５，４６による有線による接続が切断されるので、制御ユニット２０のマイクロコンピュータ２６は、上記血圧測定プログラムの手順に従って、制御ユニット自身の操作部６からの操作信号、或いはリモコンユニット４０の操作部４２からの操作信号を通信部４５を介して無線（ワイヤレス）に入力処理すると共に、センサ類２９，３０からの検知信号を入力して加圧エアポンプ２７や排気弁２８の駆動信号を出力する一方、圧力センサ２９やマイク部３０の検知信号から血圧や脈拍などの測定値を決定し、これらの値を記憶部２３に保存すると共に、通信部２４を介してリモコンユニット４０に出力すると共に、表示部４３に表示信号を出力する。【００２８】
リモコンユニット４０のマイクロコンピュータ４７は、操作部４２による操作信号を通信線３１（リモコン装着時）又は通信部４５（リモコン取り外し時）を介して制御ユニット２０に送信し、制御ユニット２０から受信した測定値を記憶部４４に逐次記憶すると共に、表示信号に基づいて表示部４３を表示制御する。【００２９】
制御ユニット２０は、リモコンユニット２０から受けた操作信号に基づいて、図３に例示するような、被測定者ごとの識別番号などの識別情報Ｄ１、測定日時情報Ｄ２、血圧値（最高値／最低値）Ｄ３、脈拍数Ｄ４、体温Ｄ５、体重Ｄ６、血糖値Ｄ７、服用した降圧剤や特定保険用食品などの薬剤名Ｄ８、運動量（歩数）Ｄ９、脈圧（＝最高血圧―最低血圧）Ｄ１０などの各種情報を取得、生成して、リモコンユニット４０に出力する。【００３０】
また、制御ユニット２０は、リモコンユニット４０から受けた操作信号に基づいて、図３に例示する各情報Ｄ１〜Ｄ１０を全て又は任意に組み合わせて血圧手帳などにプリントアウトするためのプリンタやパーソナルコンピュータ（ＰＣ）やＵＳＢ（Universal Serial Bus）メモリスティックなどの外部機器や、体温計、体重計、血糖値測定器、歩数計などの各測定機器などに接続可能な外部接続部３２を備え、これらの各データを入力して記憶部２３に記憶したり、プリンタに出力したり、ＰＣにダウンロードすることができる。【００３１】
更に、リモコンユニット４０にも、パーソナルコンピュータ（ＰＣ）やプリンタなどの外部機器や、体温計、体重計、血糖値測定器、歩数計などの各測定機器に接続可能な外部接続部４８が設けられ、これらの各データを入力して記憶部４４に記憶したり、プリンタに出力したり、ＰＣにダウンロードすることができる。よって、例えば、医師は、被測定者の所持するリモコンユニット４０から血圧などの測定値を容易にプリントアウトしたり、ＰＣにダウンロードすることができる。【００３２】
リモコンユニット４０の記憶部４４には、制御ユニット２０や他の測定機器から取得した情報として、図３に例示するように、例えば、被測定者ごとの識別番号などの識別情報Ｄ１、測定日時情報Ｄ２、血圧値（最高値／最低値）Ｄ３、脈拍数Ｄ４、体温Ｄ５、体重Ｄ６、血糖値Ｄ７、服用した降圧剤や特定保険用食品などの薬剤名Ｄ８、運動量（歩数）Ｄ９、脈圧（＝最高血圧―最低血圧）Ｄ１０などが任意の組み合わせでトレンド情報として記憶されている。そして、リモコンユニット４０の表示部４３には、一定期間（例えば、１年間）に蓄積された測定日時（或いは、朝、昼、晩）ごとのトレンド情報がグラフなどで色、或いはマーク、記号などで視認しやすく表示される。【００３３】
図８は表示部４３の一例を示し、４３ａは血圧値などのデジタル表示、電池切れアラーム表示、カフ加圧状態等の表示を行う表示部であり、４３ｂは最高血圧、最低血圧、脈圧等のトレンド表示やメモ等の表示を行う表示部である。【００３４】
上記構成において、リモコンユニット４０を各人が所持するようにすれば、病院内などの異なる場所に設置された血圧計本体部１０を、被測定者が所持する個々のリモコンユニット４０で共通に操作できる。【００３５】
また、リモコンユニット４０を血圧計本体部１０から取り外して、血圧計本体部１０を無線（ワイヤレス）で操作できるので、片腕が不自由なときでも、リモコンユニット４０をもう一方（測定する方の腕）の手で操作したり、操作できる位置に置くことで血圧測定時の操作性や視認性を向上できる。【００３６】
また、血圧計本体部１０にも、リモコンユニット４０と同様に、オン／オフスイッチなどの操作部６を設けているので、被測定者がリモコンユニット４０を所持していない場合や現在の血圧だけを知りたい場合などの血圧測定にも利用可能となる。なお、この場合、血圧測定結果は、スピーカなどを追加して音声により被測定者に報知する構成にすればよい。【００３７】
［第２の実施形態］
図１Ａ及び図１Ｂの例では、リモコンユニット４０の表示部４３が被測定者から視認できるように、当該表示部４３が被測定者に向くような姿勢で保持部５に収納されているが、図４及び図５に示す第２の実施形態ではハウジング１３の側面部１３ｂに保持部１５を設け、ハウジング１３の上面部１３ａには、オン／オフスイッチなどの操作部６と血圧測定値などを表示する液晶表示器などの表示部１４が設けられている。【００３８】
その他の構成については、図１Ａ乃至図２と同一の機能を有する要素には同一の番号を付して説明を省略する。【００３９】
上記構成では、血圧計本体部１０にも、リモコンユニット４０と同様に表示部１４を設けているので、被測定者がリモコンユニット４０を所持していない場合や現在の血圧だけを知りたい場合などの血圧測定にも利用可能となる。【００４０】
また、リモコンユニット４０を用いて操作する場合と血圧計本体部１０で操作する場合とを被測定者が選択できるので、被測定者の利便性が向上する。【００４１】
［第３の実施形態］
図７に示す第３の実施形態は、図２に示す制御ユニット２０に時計機能などを付加したものである。【００４２】
具体的には、演算用クロック回路３５、時計機能を有するクロック回路３６、更に、標準電波を受信するアンテナ、増幅や変調などの機能を持つ電波受信回路３７を設けて、時刻を補正し、常に正しい時刻を表示部４３に表示するように構成されている。なお、時計は常時点灯若しくは使用時のみ点灯するよう制御してもよい。また、上記時計機能は、図５の制御ユニット５０にも適用可能であり、この場合、正しい時刻を表示部１４及び／又は表示部４３に表示するように構成される。【００４３】
その他の構成については、図１Ａ、図１Ｂ及び図５と同一の機能を有する要素には同一の番号を付して説明を省略する。【００４４】
上記構成では、血圧値などの測定時刻を正確に表示できると共に、複数回分の血圧値などの測定データを正確な測定時刻と共に記憶することができ、被測定者の利便性が向上する。【００４５】
［第４の実施形態］
図６Ａ乃至図６Ｃは、本発明に係る第４の実施形態として保持ユニットに保持した状態の腕挿入型血圧計の斜視図であり、図６Ａは保持ユニットに装着していない状態、図６Ｂは保持ユニットに装着した状態、図６Ｃは腕挿入型血圧計と保持ユニットとを連結する部材をそれぞれ示している。【００４６】
図６Ａ乃至図６Ｃに示す例は、上述した各実施形態の血圧計本体部１０を保持する保持ユニット６０を設けた構成である。この保持ユニット６０には、被測定者の前腕を保持するアームレスト６１が底面Ｂに対して所定角θ１（例えば、１５°）傾斜して着脱自在に延設されると共に、血圧計本体部１０を保持ユニット６０に対して揺動可能に保持し、血圧計本体部１０の姿勢（前後や左右の角度、高さ）を調整する機能を有する凹状の保持部６２が設けられている。また、血圧計本体部１０には、この保持部６２に対して揺動可能に係合する凸状の係合部１１が設けられている。なお、血圧計本体部１０と保持ユニット６０とを可撓性のある板状プラスチック部材６３などで、保持ユニット６０に対して血圧計本体１０が揺動（回動）可能に連結することにより、これらが分離しなくなるので持ち運びなどがしやすくなる。【００４７】
なお、血圧計本体部１０との連結方法としては、板状プラスチック部材６３に係合孔６４ａ，６４ｂを設け、保持ユニット６０に凹部６５ａ，６５ｂを設けて、ビスなどで連結してもよい。また、板状プラスチック部材６３には、血圧計本体部１０の底面と連結するために延設部６３ａを設けてある。こうして、図示Ａ点を支点として被測定者の姿勢に応動して血圧計本体部１０が適正位置に傾くようになる。【００４８】
また、図６Ｂにおいて、傾斜部６０ａをθ２だけ後方に傾斜させたことで、血圧計本体部１０が所定角θ２（例えば、１５°）後方へ傾くことにより、被測定者が無理な姿勢をとる必要がないように、予め所定角（例えば、１５°）傾けてある。【００４９】
その他の構成については、図１Ａ及び図１Ｂと同一の機能を有する要素には同一の番号を付して説明を省略する。【００５０】
本発明は上記実施の形態に制限されるものではなく、本発明の精神及び範囲から離脱することなく、様々な変更及び変形が可能である。従って、本発明の範囲を公にするために、以下の請求項を添付する。
【優先権の主張】
【００５１】
本願は、２００４年２月３日提出の日本国特許出願特願２００４−２７１０７並びに２００４年４月９日提出の日本国特許出願特願２００４−１１５７９４を基礎として優先権を主張するものであり、その記載内容の全てを、ここに援用する。
【図１Ａ】
0004189975.tif 000002
【図１Ｂ】
0004189975.tif 000003
【図２】
0004189975.tif 000004
【図３】
0004189975.tif 000005
【図４】
0004189975.tif 000006
【図５】
0004189975.tif 000007
【図６Ａ】
0004189975.tif 000008
【図６Ｂ】
0004189975.tif 000009
【図６Ｃ】
0004189975.tif 000010
【図７】
0004189975.tif 000011
【図８】
0004189975.tif 000012